(57)【要約】【課題】水滴防止機構を殆ど市販品で構成することで、水滴等の浸入を確実に防止できると共に、低コストで実現できること。【解決手段】操作ノブ１３及びシャフトの回転を許容した状態でケーシング１１内に水滴が浸入するのを防ぐ、スペーサ２１と張り出し部２２とからなる防滴機構６を備える。スペーサ２１は、シャフト１２を挿通した状態で、ボルト２４で締め付けられることでガスケット２３を介しケーシング１１上に取り付けられる。張り出し部２２は、操作ノブ１３の底部に、適度の深さでかつスペーサ３を収納し得る程度の大きさで凹んで形成され、操作ノブ１３の周囲にスペーサ方向に張り出して形成される。【選択図】  図２
2004266237.tif 000002
【特許請求の範囲】
【請求項１】
収納部に納入されるケーシングと、該ケーシング内に回転可能に取り付けられ、かつケーシングを通ってケーシングの上部外側に露出する回転体と、該回転体の上部先端に装着され、回転体を回転させる操作ノブとを備えた露出回転体付き納入装置であって、
ケーシングと操作ノブと回転体間に、前記操作ノブ及び前記回転体の回転を許容しつつケーシング内に水滴が浸入するのを防ぐ防滴機構を備えていることを特徴とする露出回転体付き納入装置。
【請求項２】
請求項１記載の露出回転体付き納入装置において、
前記防滴機構は、前記ケーシング上に前記回転体を挿通した状態でシール材を介して取り付けられたスペーサと、操作ノブに前記スペーサの周囲まで張り出す張り出し部とからなることを特徴とする露出回転体付き納入装置。
【請求項３】
請求項２記載の露出回転体付き納入装置において、
前記張り出し部は、操作ノブのスペーサと対向する面に、スペーサの頭部を収納する凹部を一体に設けて形成されていることを特徴とする露出回転体付き納入装置。
【発明の詳細な説明】
【０００１】
【発明の属する技術分野】
本発明は、収納部に納入される露出回転体付き納入装置に係り、特に、ケーシング内に取り付けられ、かつケーシングの挿通孔を通ってケーシングの上部外側に露出する回転体を有する露出回転体付き納入装置に関するものである。
【０００２】
【従来の技術】
この種の露出回転体付き納入装置にあっては、図３に示すように、ケーシング１と、ケーシング１内に取り付けられる回転体としてのシャフト２と、シャフト２の上部先端に装着される操作ノブ３とを備え、ケーシング１が収納部としてのトランク（図示せず）内に納入されるようになっている。
【０００３】
シャフト２は、ケーシング１内に回転自在に取り付けられたとき、その上部がケーシング１の上部に設けられた挿通孔１ａを通って外部に露出するようになっている。操作ノブ３は、シャフト２においてケーシング１から露出している上部先端に装着され、軸周りに回転することでシャフト２を回すことができるようになっている。
【０００４】
【発明が解決しようとする課題】
ところで、上記従来の露出回転体付き納入装置は、回転体であるシャフト２のケーシング１より外側に露出している部分に装着された操作ノブ３を回すことで、ケーシング１内に取り付けられたシャフト２を回転させるようにしているものの、ケーシング１と操作ノブ３との間が数ミリ程度の寸法で空いていると共に、シャフト２と、これを挿通しているケーシング１の挿通孔１ａとの間の隙間も同程度の寸法で空いているので、例えば、トランクを有する開閉装置の扉が開かれたとき、雨などの水滴が外部からケーシング１に落ちると、その水滴が上記隙間を経てケーシング１の挿通孔１ａから内部に伝い落ち、ケーシング内部に組み込まれている構成部品が悪影響を受けるおそれがあった。
そのため、水滴等の浸入を防止できる防滴機構を製作しなければならないが、その際、防滴機構の製作に際しては、露出回転体付き納入装置の予算が決められていて、コストが大幅に高騰するのを避けなければならず、可及的に安価にすることが要請されていることから、浸入を防止するための材料の調達及び加工並びに加工労力に時間や手間をかけないで製作しなければならないという問題があった。
【０００５】
本発明の目的は、上記従来技術の問題点に鑑み、水滴防止機構を殆ど市販品で構成することで、水滴等の浸入を確実に防止できると共に、低コストで実現できる露出回転体付き納入装置を提供することにある。
【０００６】
【課題を解決するための手段】
上記課題を解決するため、本発明においては、以下の手段を採用している。
即ち、請求項１に係る発明は、収納部に納入されるケーシングと、該ケーシング内に回転可能に取り付けられ、かつケーシングを通ってケーシングの上部外側に露出する回転体と、該回転体の上部先端に装着され、回転体を回転させる操作ノブとを備えた露出回転体付き納入装置であって、ケーシングと操作ノブと回転体間に、前記操作ノブ及び前記回転体の回転を許容しつつケーシング内に水滴が浸入するのを防ぐ防滴機構を備えていることを特徴とする。
【０００７】
この発明によれば、防滴機構により、ケーシングと操作ノブと回転体間に水滴が浸入するのを防ぐ一方、操作ノブを操作したとき、該操作ノブと回転体とが軸周りに回転しても、防滴機構がそれら操作ノブと回転体の回転を許容するので、操作ノブの操作が阻害されることなく良好に行える。
【０００８】
また、請求項２に係る発明は、請求項１記載の露出回転体付き納入装置において、前記防滴機構は、前記ケーシング上に前記回転体を挿通した状態でシール材を介して取り付けられたスペーサと、操作ノブに前記スペーサの周囲まで張り出す張り出し部とからなることを特徴とする。
この発明によれば、ケーシング上にシール材を介して取り付けられたスペーサと、そのスペーサの周囲まで張り出す操作ノブの張り出し部とからなるので、水滴が操作ノブに落ちた場合、操作ノブからスペーサ及びシール材を経てケーシングに伝い落ちるので、良好な防滴機能を果たすことができる。
【０００９】
請求項３に係る発明は、請求項２記載の露出回転体付き納入装置において、前記張り出し部は、操作ノブのスペーサと対向する面に、スペーサの頭部を収納する凹部を一体に設けて形成されていることを特徴とする。
この発明によれば、張り出し部が、操作ノブのスペーサと対向する面にスペーサの頭部を収納する凹部を設けることで形成されているので、操作ノブに対し張り出し部を簡単に形成することができる。
【００１０】
【発明の実施の形態】
以下、本発明の実施の形態を図面に基づいて説明する。図１及び図２は本発明の一実施の形態に係る露出回転体付き納入装置を示す図であって、図１は露出回転体付き納入装置をトランク内に納入した状態を示す説明図、図２は露出回転体付き納入装置の要部を示す拡大断面図である。
図１に示す実施形態の露出回転体付き納入装置１０は、図１に示すように、収納部としてのトランク３０内の空間部３１に納入されており、大別すると、図２に示すように、ケーシング１１と、ケーシング１１内に回転自在に取り付けられ、ケーシング１１の上部外側に露出する回転体としてのシャフト１２と、シャフト１２の上部先端に装着された操作ノブ１３とを備えている。
【００１１】
ケーシング１１は、図１に示すように、略密閉された箱形形状をなしており、トランク３０にシールゴム３２を介して気密状態に納入されている。シャフト１２は、図２に示すよにうに、ケーシング１１内にベアリング１４を介して回転自在に取り付けられ、その上部がケーシング１１に設けられた挿通孔１１ａを通って外側に露出している。操作ノブ１３は、シャフト１２の上端の、ケーシング１１から露出している先端に固定キー１５によって装着され、垂直軸周りに操作されることでシャフト３を回転させるようになっている。
【００１２】
なお、ベアリング１４は、ケーシング１１内にボルト１６等で固定された支持部材１７によって支持されている。また、シャフト１２の図示しない部分には回転角を検出するための検出器等が装着されている。図１に示すトランク３０は、図示しない開閉装置に設けられている。
【００１３】
この実施形態では、図２に示すように、ケーシング１１と操作ノブ１３とシャフト１２間に設けられ、それら操作ノブ１３及びシャフト１２の回転を許容した状態で、ケーシング１１内に水滴が浸入するのを防ぐ防滴機構２０を備えている。
【００１４】
即ち、防滴機構２０は、スペーサ２１と、操作ノブ１３に設けられた張り出し部２２とからなっている。スペーサ２１は、市販品であって、シャフト１２を挿通する孔を有する金属製からなる筒状の板体をなしており、その下部２１ａがケーシング１１の挿通孔１１ａに遊嵌する大きさの小径に形成されると共に、その上部２１ｂが挿通孔１１ａより大きな径に形成されている。
【００１５】
そして、スペーサ２１は、シャフト１２を挿通した状態で下部２１ａがケーシング１１の挿通孔１１ａに嵌め込まれると共に、上部２１ｂがシール材としてのガスケット２３を介してケーシング１１に載置されたとき、ボルト２４等で締め付けられることで、ガスケット２３を介してケーシング１１上に取り付けられている。ガスケット２３は、合成樹脂等のゴム材で製作されている。
【００１６】
張り出し部２２は、操作ノブ１３の底部に、適度の深さでかつスペーサ２１を収納し得る程度の大きさの径で凹んで一体的に形成されることにより、操作ノブ１３の周囲にスペーサ２１方向に張り出して形成されている。従って、シャフト１２に操作ノブ１３が装着されると、操作ノブ１３と一体に設けられている張り出し部２２がスペーサ２１の上部を包囲する、いわゆる覆った状態となっている。このような張り出し部２２付きの操作ノブ１３及びスペーサ２１並びにボルト２４の締結部品は、水等に対して腐食にくくかつ耐久性を有する材質からなっている。
【００１７】
従って、ケーシング１１上にシャフト１２を挿通した状態でガスケット２３を介して取り付けられたスペーサ２１と、操作ノブ１３にスペーサ２１の周囲まで張り出して設けられた張り出し部２２とで防滴機構２０が構成されている。
【００１８】
この実施形態の露出回転体付き納入装置１０は、上記のように、ケーシング１１と操作ノブ１３とシャフト１２間に、ケーシング１１上に取り付けられたスペーサ２１及び操作ノブ１３に設けられた張り出し部２２とからなる防滴機構２０が備えられているので、例えばトランク３０を有する開閉装置（図示せず）の扉が開かれることで、雨などの水滴が外部からケーシング１１に落ちると、ケーシング１１の挿通孔１１ａの周りがガスケット２３を介して設けられたスペーサ２１によって覆われているので、ケーシング１１内に浸入するおそれがない。
【００１９】
また、水滴が操作ノブ１３に落ちたとしても、該操作ノブ１３からスペーサ２１及びガスケット８を経てケーシング１１に伝い落ちるだけであり、ケーシング１１内に浸入するのを防止することができる。これにより、水滴がケーシング１１内に何等浸入するおそれがなく、ケーシング１１内の構成部品が悪影響を受けることがない。
【００２０】
従って、防滴機構２０により、水滴がケーシング１１内に浸入するのを確実に防ぐことができ、しかも防滴機構２０においては、ガスケットを除く部品を全て市販品で調達できることで、水等の浸入を確実に防止できる防滴機構２０を低コストで構成することができる。
これは、ガスケット２３のみを製作するものの、それ以外の主要部品、つまり、張り出し部２２を有する操作ノブ１３、スペーサ２１、スペーサ２１の締結部品が全て市販であるので、材料の仕入れからそれらをいちいち製作することがなくなり、製作するのに必要な加工及び加工労力が不要になるので、コストが高騰するのを抑えることができ、低コストで実現することができる。
【００２１】
しかも、防滴機構２０は、水滴が浸入するのを防ぐと共に、操作ノブ１３を操作したとき、該操作ノブ１３とシャフト１２とが軸周りに回転しても、それら操作ノブ１３，シャフト１２がスペーサ２１と摺接することなく容易に回転できるばかりでなく、摩耗するおそれもないので、操作ノブ１３及びシャフト１２の回転が阻害されることなく良好に行える。
【００２２】
また、防滴機構２０は、ケーシング１１上にガスケット２３を介して取り付けられたスペーサ２１と、操作ノブ１３にスペーサ２１の周囲まで張り出して設けられた張り出し部２２とからなっているので、防滴機構２０の構成部品数の増加を招くことがなく、少ない構成部品数で防滴機構２０を良好に構成することができる。
【００２３】
さらに、張り出し部２２は、操作ノブ１３において、スペーサ２１と対向する面に、該スペーサ２１の頭部を収納する凹部を設けることで形成され、その凹部にスペーサ２１が入り込んで組み付けられるので、スペーサ２１と操作ノブ１３間に水滴が浸入するのを簡単かつ確実に防ぐことができる。
【００２４】
なお、図示実施形態では、トランク３０内に納入される露出回転体付き納入装置１０に防滴機構２０を設けた例を示したが、ケーシングと、ケーシング内に回転自在に取り付けられると共に、そのケーシングから露出する回転体と、この回転体に装着された操作ノブとを備える他の装置の全てに適用することができ、図示例に限定されるものではない。
【００２５】
【発明の効果】
以上説明したように、本発明によれば、操作ノブと回転体とが軸周りに回転しても、ケーシングと操作ノブと回転体間に備えられた防滴機構がそれら操作ノブと回転体の回転を許容した状態でケーシング内に水滴が浸入するのを防止するように構成し、しかも主要構成品を市販品で構成したので、簡単な構成で水等の浸入しない防滴構造を確実にかつ低コストで実現することができる効果が得られる。
【図面の簡単な説明】
【図１】本発明の一実施の形態に係る露出回転体付き納入装置を示す図であって、トランクに納入された状態を示す破断説明図である。
【図２】露出回転体付き納入装置における防滴機構を示す拡大図である。
【図３】従来の露出回転体付き納入装置を示す説明図である。
【符号の説明】
１０…露出回転体付き納入装置
１１…ケーシング
１２…シャフト（回転体）
１３…操作ノブ
３０…トランク（収納部）
２０…防滴機構
２１…スペーサ
２２…張り出し部
２３…ガスケット（シール材
【図１】
2004266237.tif 000003
【図２】
2004266237.tif 000004
【図３】
2004266237.tif 000005